【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
情報処理装置と通信可能に接続され、該情報処理装置からの指示に応じて画像記録を行うプリンタであって、
記録材料が貯蔵される記録材料カートリッジを着脱自在に装着する記録材料カートリッジ装着部と、
前記記録材料を所定の用紙に定着させて画像記録を行う印刷制御部と、
前記プリンタを識別する装置識別番号を記憶する情報記憶部と、
印刷データを基に生成されたドットパターンデータに基づき前記画像記録にのみ使用された記録材料の量を算出し、前記情報記憶部に記録する記録材料使用量算出部と、
前記記録材料カートリッジに設けられた記憶素子から記録材料カートリッジ識別番号を読み取り、前記情報記憶部に記録する記録材料カートリッジ制御部と、
前記情報記憶部に記憶された前記装置識別番号、前記画像記録に使用された記録材料の量及び前記記録材料カートリッジ識別番号を基に課金ステータス情報を生成し、前記情報処理装置に送信する送信情報生成送信部と、を備えたことを特徴とするプリンタ。
【請求項２】
前記記録材料カートリッジ制御部は、前記記録材料カートリッジ装着部に前記記録材料カートリッジが装着されたときに、前記記録材料カートリッジ識別番号を読み取り、新規装着された記録材料カートリッジとして前記情報記憶部に記録することを特徴とする請求項１に記載のプリンタ。
【請求項３】
前記記録材料カートリッジ制御部は、前記記録材料カートリッジ装着部内の前記記録材料カートリッジが使用されて内部の記録材料が所定値以下となったときに、前記記録材料カートリッジ識別番号を読み取り、記録材料エンド記録材料カートリッジとして前記情報記憶部に記録することを特徴とする請求項１または２に記載のプリンタ。
【請求項４】
前記記録材料カートリッジは、複数の記録材料を貯蔵しており、
前記記録材料使用量算出部は、前記複数の記録材料毎に前記画像記録にのみ使用された記録材料の量を算出し、前記情報記憶部に記録することを特徴とする請求項１〜３の何れか一項に記載のプリンタ。
【請求項５】
前記記録材料はインクであり、
前記記録材料使用量算出部は前記インクのショット数をカウントしてインク使用量を求めることを特徴とする請求項１〜４の何れか一項に記載のプリンタ。
【請求項６】
前記ドットパターンデータは複数のドットサイズによって形成され、
前記記録材量使用量算出部は、各ドットサイズに応じたショット数に換算することを特徴とする請求項５に記載のプリンタ。
【請求項７】
前記記録材料使用量算出部は、インクを印刷ヘッドから吐出可能にするための動作で使用されるインク量については、インク使用量としてカウントしないことを特徴とする請求項５または６に記載のプリンタ。
【請求項８】
情報処理装置と、
前記情報処理装置と通信可能に接続され、該情報処理装置からの指示に応じて画像記録を行うプリンタとを備えたプリンタシステムであって、
前記プリンタは、
記録材料が貯蔵される記録材料カートリッジが着脱自在に装着される記録材料カートリッジ装着部と、
前記記録材料を所定の用紙に定着させて画像記録を行う印刷制御部と、
前記プリンタを識別する装置識別番号を記憶する情報記憶部と、
印刷データを基に生成されたドットパターンデータに基づき前記画像記録にのみ使用された記録材料の量を算出し、前記情報記憶部に記録する記録材料使用量算出部と、
前記記録材料カートリッジに設けられた記憶素子から記録材料カートリッジ識別番号を読み取り、前記情報記憶部に記録する記録材料カートリッジ制御部と、
前記情報記憶部に記憶された前記装置識別番号、前記画像記録に使用された記録材料の量及び前記記録材料カートリッジ識別番号を基に課金ステータス情報を生成し、前記情報処理装置に送信する送信情報生成送信部と、を備え、
前記情報処理装置は、前記プリンタに課金ステータス情報の送信を要求して前記プリンタから前記課金ステータス情報を取得する課金ステータス取得部を備えたことを特徴とするプリンタシステム。
【請求項９】
前記課金ステータス取得部は、信頼性保持のために信頼性保証値を課金ステータス情報に付加することを特徴とする請求項８に記載のプリンタシステム。
【請求項１０】
前記課金ステータス情報は、前記情報処理装置からネットワークを介して、前記記録材料カートリッジを供給するカートリッジ供給者に転送され、
前記カートリッジ供給者は、前記課金ステータス情報を基に前記記録材料の使用代金を前記プリンタの使用者に対して請求することを特徴とする請求項７〜９の何れか一項に記載のプリンタシステム。
【請求項１１】
前記情報処理装置は、前記プリンタに使用された記録材料の量の送信を要求して前記プリンタから前記使用された記録材料の量を取得するショット情報取得部を備えたことを特徴とする請求項７に記載のプリンタシステム。
【請求項１２】
プリンタが実行した画像記録に使用された記録材料の使用量に応じて代金を課金する課金方法であって、
記録材料を所定の用紙に定着させて画像記録を行うステップと、
前記プリンタを識別する装置識別番号を記憶するステップと、
印刷データを基に生成されたドットパターンデータに基づき前記画像記録にのみ使用された記録材料の量を算出し記憶するステップと、
前記記録材料が貯蔵される記録材料カートリッジに設けられた記憶素子から記録材料カートリッジ識別番号を読み取り、記憶するステップと、
前記装置識別番号、前記画像記録に使用された記録材料の量及び前記記録材料カートリッジ識別番号を基に課金ステータス情報を生成し、通信可能に接続された情報処理装置に送信するステップと、
前記情報処理装置が、前記課金ステータス情報を前記記録材料カートリッジを供給するカートリッジ供給者に転送するステップと、を含むことを特徴とする課金方法。
【手続補正２】
【補正対象書類名】明細書
【補正対象項目名】発明の名称
【補正方法】変更
【補正の内容】
【発明の名称】プリンタ、プリンタシステム及び課金方法
【手続補正３】
【補正対象書類名】明細書
【補正対象項目名】０００１
【補正方法】変更
【補正の内容】
【０００１】
本発明は、プリンタ、プリンタを含むプリンタシステム及び課金方法に係り、特にインク、トナー等の記録材料の使用量に応じて課金を行うプリンタ、プリンタシステム及び課金方法に関する。
【手続補正４】
【補正対象書類名】明細書
【補正対象項目名】００１２
【補正方法】変更
【補正の内容】
【００１２】
本発明は、以下の構成により達成される。
情報処理装置と通信可能に接続され、該情報処理装置からの指示に応じて画像記録を行うプリンタであって、
記録材料が貯蔵される記録材料カートリッジを着脱自在に装着する記録材料カートリッジ装着部と、
前記記録材料を所定の用紙に定着させて画像記録を行う印刷制御部と、
前記プリンタを識別する装置識別番号を記憶する情報記憶部と、
印刷データを基に生成されたドットパターンデータに基づき前記画像記録にのみ使用された記録材料の量を算出し、前記情報記憶部に記録する記録材料使用量算出部と、
前記記録材料カートリッジに設けられた記憶素子から記録材料カートリッジ識別番号を読み取り、前記情報記憶部に記録する記録材料カートリッジ制御部と、
前記情報記憶部に記憶された前記装置識別番号、前記画像記録に使用された記録材料の量及び前記記録材料カートリッジ識別番号を基に課金ステータス情報を生成し、前記情報処理装置に送信する送信情報生成送信部と、を備えたことを特徴とする。
また、前記ドットパターンデータは複数のドットサイズによって形成され、
前記記録材量使用量算出部は、各ドットサイズに応じたショット数に換算することを特徴とする。
さらに、本発明のプリンタシステムは以下の構成により達成される。
情報処理装置と、
前記情報処理装置と通信可能に接続され、該情報処理装置からの指示に応じて画像記録を行うプリンタとを備えたプリンタシステムであって、
前記プリンタは、
記録材料が貯蔵される記録材料カートリッジが着脱自在に装着される記録材料カートリッジ装着部と、
前記記録材料を所定の用紙に定着させて画像記録を行う印刷制御部と、
前記プリンタを識別する装置識別番号を記憶する情報記憶部と、
印刷データを基に生成されたドットパターンデータに基づき前記画像記録にのみ使用された記録材料の量を算出し、前記情報記憶部に記録する記録材料使用量算出部と、
前記記録材料カートリッジに設けられた記憶素子から記録材料カートリッジ識別番号を読み取り、前記情報記憶部に記録する記録材料カートリッジ制御部と、
前記情報記憶部に記憶された前記装置識別番号、前記画像記録に使用された記録材料の量及び前記記録材料カートリッジ識別番号を基に課金ステータス情報を生成し、前記情報処理装置に送信する送信情報生成送信部と、を備え、
前記情報処理装置は、前記プリンタに課金ステータス情報の送信を要求して前記プリンタから前記課金ステータス情報を取得する課金ステータス取得部を備えたことを特徴とする。
さらに、本発明の課金方法は以下の構成により達成される。
プリンタが実行した画像記録に使用された記録材料の使用量に応じて代金を課金する課金方法であって、
記録材料を所定の用紙に定着させて画像記録を行うステップと、
前記プリンタを識別する装置識別番号を記憶するステップと、
印刷データを基に生成されたドットパターンデータに基づき前記画像記録にのみ使用された記録材料の量を算出し記憶するステップと、
前記記録材料が貯蔵される記録材料カートリッジに設けられた記憶素子から記録材料カートリッジ識別番号を読み取り、記憶するステップと、
前記装置識別番号、前記画像記録に使用された記録材料の量及び前記記録材料カートリッジ識別番号を基に課金ステータス情報を生成し、通信可能に接続された情報処理装置に送信するステップと、
前記情報処理装置が、前記課金ステータス情報を前記記録材料カートリッジを供給するカートリッジ供給者に転送するステップと、を含むことを特徴とする。
また、本発明は以下の構成とすることもできる。
情報処理装置と通信可能に接続され、該情報処理装置からの指示に応じて画像記録を行うプリンタであって、
記録材料が貯蔵される記録材料カートリッジを着脱自在に装着する記録材料カートリッジ装着部と、
前記記録材料を所定の用紙に定着させて画像記録を行う印刷制御部と、
前記プリンタを識別する装置識別番号を記憶する情報記憶部と、
前記画像記録にのみ使用された記録材料の量を算出し、前記情報記憶部に記録する記録材料使用量算出部と、
前記記録材料カートリッジに設けられた記憶素子から記録材料カートリッジ識別番号を読み取り、前記情報記憶部に記録する記録材料カートリッジ制御部と、
前記情報記憶部に記憶された前記装置識別番号、前記画像記録に使用された記録材料の量及び前記記録材料カートリッジ識別番号を基に課金ステータス情報を生成し、前記情報処理装置に送信する送信情報生成送信部と、を備えたことを特徴とする。
また、前記記録材料カートリッジ制御部は、前記記録材料カートリッジ装着部に前記記録材料カートリッジが装着されたときに、前記記録材料カートリッジ識別番号を読み取り、新規装着された記録材料カートリッジとして前記情報記憶部に記録することを特徴とする。
また、前記記録材料カートリッジ制御部は、前記記録材料カートリッジ装着部内の前記記録材料カートリッジが使用されて内部の記録材料が所定値以下となったときに、前記記録材料カートリッジ識別番号を読み取り、記録材料エンド記録材料カートリッジとして前記情報記憶部に記録することを特徴とする。
また、前記記録材料カートリッジは、複数の記録材料を貯蔵しており、
前記記録材料使用量算出部は、前記複数の記録材料毎に前記画像記録にのみ使用された記録材料の量を算出し、前記情報記憶部に記録することを特徴とする。
また、前記記録材料はインクであり、
前記記録材料使用量算出部は前記インクのショット数をカウントしてインク使用量を求めることを特徴とする。
また、前記記録材料使用量算出部は、クリーニング動作、目詰まり回復動作又はインク充填動作など、インクを印刷ヘッドから吐出可能にするための動作で使用されるインク量については、インク使用量としてカウントしないことを特徴とする。
また、情報処理装置と、
前記情報処理装置と通信可能に接続され、該情報処理装置からの指示に応じて画像記録を行うプリンタとを備えたプリンタシステムであって、
前記プリンタは、
記録材料が貯蔵される記録材料カートリッジが着脱自在に装着される記録材料カートリッジ装着部と、
前記記録材料を所定の用紙に定着させて画像記録を行う印刷制御部と、
前記プリンタを識別する装置識別番号を記憶する情報記憶部と、
前記画像記録にのみ使用された記録材料の量を算出し、前記情報記憶部に記録する記録材料使用量算出部と、
前記記録材料カートリッジに設けられた記憶素子から記録材料カートリッジ識別番号を読み取り、前記情報記憶部に記録する記録材料カートリッジ制御部と、
前記情報記憶部に記憶された前記装置識別番号、前記画像記録に使用された記録材料の量及び前記記録材料カートリッジ識別番号を基に課金ステータス情報を生成し、前記情報処理装置に送信する送信情報生成送信部と、を備えたことを特徴とする。
また、前記情報処理装置は、前記プリンタに課金ステータス情報の送信を要求して前記プリンタから前記課金ステータス情報を取得する課金ステータス取得部を備えたことを特徴とする。
また、前記課金ステータス取得部は、信頼性保持のために信頼性保証値を課金ステータス情報に付加することを特徴とする。
また、前記課金ステータス情報は、前記情報処理装置から上位のネットワークを介して、前記記録材料カートリッジを供給するカートリッジ供給者に転送され、
前記カートリッジ供給者は、前記課金ステータス情報を基に前記記録材料の使用代金を前記プリンタの使用者に対して請求することを特徴とする。
また、前記情報処理装置は、前記プリンタに使用された記録材料の量の送信を要求して前記プリンタから前記使用された記録材料の量を取得する記録材料使用量取得部を備えたことを特徴とする。
また、前記記録材料カートリッジ制御部は、前記記録材料カートリッジ装着部に前記記録材料カートリッジが装着されたときに、前記記録材料カートリッジ識別番号を読み取り、新規装着された記録材料カートリッジとして前記情報記憶部に記録することを特徴とする。
また、前記記録材料カートリッジ制御部は、前記記録材料カートリッジ装着部内の前記記録材料カートリッジが使用されて内部の記録材料が所定値以下となったときに、前記記録材料カートリッジ識別番号を読み取り、記録材料エンド記録材料カートリッジとして前記情報記憶部に記録することを特徴とする。
また、前記記録材料カートリッジは、複数の記録材料を貯蔵しており、
前記記録材料使用量算出部は、前記複数の記録材料毎に前記画像記録にのみ使用された記録材料の量を算出し、前記情報記憶部に記録することを特徴とする。
また、前記記録材料はインクであり、
前記記録材料使用量算出部は、前記インクのショット数をカウントしてインク使用量を求めることを特徴とする。
また、前記記録材料使用量算出部は、クリーニング動作、目詰まり回復動作又はインク充填動作など、インクを印刷ヘッドから吐出可能にするための動作で使用されるインク量については、インク使用量としてカウントしないことを特徴とするに記載のプリンタシステム。